(57)【要約】【課題】  簡易な構成でクリーニングパッドがストッパ位置にあることを検出でき且つモータのトルクを最大限に発揮させることができるチャージワイヤ清掃装置を提供する。【解決手段】  本発明のチャージワイヤ清掃装置は、チャージワイヤ３と、チャージワイヤ３に圧接するクリーニングパッド５と、クリーニングパッド５を支持する往復移動体７と、往復移動体７をチャージワイヤ３に対して平行に往復移動させる移送手段１５と、チャージワイヤ３の軸方向両端部側に夫々設けた往復移動体７のストッパ１１、１３と、移送手段１５を正逆転駆動させるモータ２３と、移送手段１５に設けたエンコーダ１７と、エンコーダ１７の回転動作を検知するエンコーダ動作検知手段２５と、モータ２３の駆動を制御する制御手段１４とを備え、エンコーダ動作検知手段２５がエンコーダ１７の回転動作を検知することでクリーニングパッド５がストッパ位置にあるか否かを検出している。【選択図】      図１
2005157021.tif 000002
【特許請求の範囲】
【請求項１】
像担持体をコロナ放電式に帯電するチャージワイヤと、チャージワイヤに圧接するクリーニングパッドと、クリーニングパッドを支持する往復移動体と、往復移動体をチャージワイヤに対して平行に往復移動させる移送手段と、チャージワイヤの軸方向両端部側に夫々設けた往復移動体のストッパと、移送手段を正転駆動及び逆転駆動させるモータと、移送手段に設けたエンコーダと、エンコーダの回転動作を検知するエンコーダ動作検知手段と、モータの駆動を制御する制御手段とを備え、往復移動体に支持されたクリーニングパッドをチャージワイヤに沿って往復移動させてチャージワイヤの清掃を行なうチャージワイヤ清掃装置であって、エンコーダ動作検知手段がエンコーダの回転動作を検知することでクリーニングパッドがストッパ位置にあるか否かを検出することを特徴とするチャージワイヤ清掃装置。
【請求項２】
移送手段はモータの駆動により回転する駆動プーリと、駆動プーリの回転に連れ回りする従動プーリと、駆動プーリと従動プーリとの間に掛け渡されたワイヤとを備え、従動プーリはエンコーダを一体に設けていることを特徴とする請求項１に記載のチャージワイヤ清掃装置。
【発明の詳細な説明】
【技術分野】
【０００１】
本発明は、複写機、プリンタ、ファクシミリ装置等の電子写真式画像形成装置に関し、特に画像形成装置に装備されるコロナ放電式帯電器に用いられるチャージワイヤの清掃を行なうチャージワイヤ清掃装置に関する。
【背景技術】
【０００２】
例えば、特許文献１に記載の従来技術は、チャージワイヤの一端から他端までの間を往復運動させるクリーニングパッドを備えたチャージワイヤ清掃装置において、チャージワイヤの両端部に検知センサを設け、クリーニングパッドの現在位置を把握している。かかる検知センサは、クリーニングパッドに設けたレバーと、両端部にあるストッパに設けたスイッチと、回転板とから構成されており、クリーニングパッドが両端のストッパ位置にあるときはレバーに回転板が押されてスイッチがオン状態となり、クリーニングパッドが両端位置から離れると、回転板が元に戻ってスイッチがオフ状態となる。このように、スイッチのオン状態とオフ状態とを検知することでクリーニングパッドが両端のストッパ位置にあるか否かを判断している。
【０００３】
一方、特許文献２に記載の従来技術は、クリーニングパッドを往復運動させるモータのトルクにより変化する電流を検出することでクリーニングパッドが両端のストッパ位置にあるか否かを判断している。
【０００４】
【特許文献１】特開平７−２６１５２０号公報
【特許文献２】特開２００３−９１１４５号公報
【発明の開示】
【発明が解決しようとする課題】
【０００５】
しかしながら、上述の特許文献１に記載の従来技術は、検知センサとしてスイッチと、レバーと、回転板とが必要になるため、部品点数が多くなり構成が複雑になるという問題があった。
【０００６】
また、特許文献２に記載の従来技術は、モータが停止状態になるトルクよりも低いトルクをクリーニングパッドの停止状態と判断しなければならず、入力電流が制限されてモータのトルクを最大限に発揮させることが難しいという問題があった。
【０００７】
本発明は、簡易な構成でクリーニングパッドがストッパ位置にあることを検出でき且つモータのトルクを最大限に発揮させることができるチャージワイヤ清掃装置を提供することを目的とする。
【課題を解決するための手段】
【０００８】
前記課題を解決するために、請求項１に記載された発明は、像担持体をコロナ放電式に帯電するチャージワイヤと、チャージワイヤに圧接するクリーニングパッドと、クリーニングパッドを支持する往復移動体と、往復移動体をチャージワイヤに対して平行に往復移動させる移送手段と、チャージワイヤの軸方向両端部側に夫々設けた往復移動体のストッパと、移送手段を正転駆動及び逆転駆動させるモータと、移送手段に設けたエンコーダと、エンコーダの回転動作を検知するエンコーダ動作検知手段と、モータの駆動を制御する制御手段とを備え、往復移動体に支持されたクリーニングパッドをチャージワイヤに沿って往復移動させてチャージワイヤの清掃を行なうチャージワイヤ清掃装置であって、エンコーダ動作検知手段がエンコーダの回転動作を検知することでクリーニングパッドがストッパ位置にあるか否かを検出することを特徴とする。
【０００９】
請求項２に記載された発明は、請求項１に記載の発明において、移送手段はモータの駆動により回転する駆動プーリと、駆動プーリの回転に連れ回りする従動プーリと、駆動プーリと従動プーリとの間に掛け渡されたワイヤとを備え、従動プーリはエンコーダを一体に設けていることを特徴とする。
【発明の効果】
【００１０】
請求項１に記載の発明によれば、チャージワイヤの清掃動作において、制御手段の制御によりモータが回転駆動すると、モータからの駆動力によって移送手段が移動（回転）して往復移動体が、一方の端部側にあるストッパ位置から他方の端部側にあるストッパ位置に向けて移動を開始する。そして、往復移動体に設けられたクリーニングパッドがチャージワイヤを挟みつつ移動することによりチャージワイヤが清掃される。
【００１１】
このとき、移送手段の移動（回転）に連れ回りするエンコーダの回転動作をエンコーダ動作検知手段が検出することで、移送手段が移動（回転）している状態、すなわち往復移動体に設けられたクリーニングパッドが移動をしている状態が検知される。
【００１２】
往復移動体が他方の端部側にあるストッパ位置に突き当たると、移送手段送の移動（回転）が停止するとともに、これに連れ回りするエンコーダの回転動作も停止する。このとき、エンコーダ動作検知手段により一定時間エンコーダの回転動作を検知しない場合には、制御手段に信号を送信してモータの駆動を停止すると同時に、モータの回転を逆転駆動させて往復移動体を、他方の端部側のストッパ位置から一方の端部のストッパ位置に向けて移動を開始させる。このように、往復移動体が所定の回数、往復移動を繰り返すことで、チャージワイヤの清掃を行なう。
【００１３】
このように、エンコーダの回転動作をエンコーダ動作検知手段により検知することで、クリーニングパッドの現在位置を検出することができるので、エンコーダとエンコーダ動作検知手段を設けるだけで良く、簡易な構成でクリーニングパッドがストッパ位置にあることを検出できる。
【００１４】
また、モータのトルクにより変化する電流を検出することでクリーニングパッドの停止状態を判断しないので、入力電流を大きくでき、モータのトルクを最大限に発揮させることができる。
【００１５】
請求項２に記載された発明によれば、請求項１に記載された発明と同様の効果が得られるとともに、チャージワイヤの清掃動作において、制御手段の制御によりモータが回転駆動すると、モータからの駆動力によって駆動プーリが回転するとともに、従動プーリも同時に回転する。また、駆動プーリと従動プーリとの間に掛け渡されたワイヤが左右方向に移動することで、往復移動体がチャージワイヤに対して平行に往復移動し、チャージワイヤを清掃する。
【００１６】
モータが停止した際にモータトルクが駆動プーリとワイヤとの摩擦力を上回って、ワイヤと駆動プーリとの間で滑りが発生した場合でも、従動プーリにはエンコーダを一体に設けてあるので、往復移動体の動きと従動プーリの動きは連動することができる。よって、往復移動体がストッパ位置で停止した場合には、その状態を従動プーリに設けたエンコーダで確実に検知できる。
【発明を実施するための最良の形態】
【００１７】
以下、図面を参照しながら本発明の一実施形態について説明する。図１は本発明の第１の実施形態に係るチャージワイヤ清掃装置の構成を概略的に示す正面図、図２は図１に示すチャージワイヤ清掃装置のＡ−Ａ断面図、図３は本発明の第２の実施形態に係るチャージワイヤ清掃装置の構成を概略的に示す平面図である。
【００１８】
第１の実施形態に係るチャージワイヤ清掃装置１は、図示しない像担持体をコロナ放電式に帯電するチャージワイヤ３と、チャージワイヤ３を両側から圧接するクリーニングパッド５と、クリーニングパッド５を支持する往復移動体（スライダ）７と、チャージワイヤ３を覆うケーシング９とを備えており、スライダ７の往復移動によりクリーニングパッド５がチャージワイヤ３の表面に付着した異物を清掃するようになっている。また、チャージワイヤ３の左右両端部にはそれぞれストッパ（右ストッパ１１、左ストッパ１３）が設けられており、スライダ７が左右ストッパ１１、１３に突き当たることで、スライダ７の移動が停止するようになっている。
【００１９】
またチャージワイヤ清掃装置１は、スライダ７を左右方向に往復移動させる移送手段を備えており、この移送手段は周面に雄ねじ部を形成した送りねじ棒１５と、送りねじ棒１５の一端側に設けた従動ギア１９、そして従動ギア１９に噛合う駆動ギア２１により構成されている。そして駆動ギア２１には、モータ２３が取り付けられており、かかるモータ２３は制御手段１４により制御されている。
【００２０】
送りねじ棒１５はチャージワイヤ３と平行に備えており、送りねじ棒１５の回転により送りねじ棒１５の雄ねじ部がスライダ７に貫通形成した雌ねじ部に螺合し、スライダ７が左右方向に移動するようになっている。
【００２１】
送りねじ棒１５の一端側には、一定の間隔おきにスリット１６を形成したエンコーダ１７が設けられている。また、エンコーダ１７を挟む位置には透過型フォトセンサ（エンコーダ動作検知手段）２５が設けられており、透過型フォトセンサ２５がスリット１６を透過する光の切り換えを検出することで、エンコーダ１７の回転を検知している。すなわち、透過型フォトセンサ２５が光の切り換え状態を検出している場合には、エンコーダ１７は回転しており、スライダ７が左右に移動してクリーニングパッド５でチャージワイヤ３を清掃している。
【００２２】
一方、透過型フォトセンサ２５が一定時間光の切り換えを検出しない場合に、エンコーダ１７の回転が停止したこと、すなわちスライダ７が左右のストッパ１１、１３に突き合たったことを認識している。尚、スライダ７が左右の何れのストッパ１１、１３に突き合たったか否かは、送りねじ棒１５を回転駆動させるモータ２３の回転方向で知ることができる。
【００２３】
次に、本実施の形態にかかるチャージワイヤ清掃装置１の作用について説明する。チャージワイヤ３の清掃動作において、制御手段１４の制御によりモータ２３が回転駆動すると、モータ２３の駆動力により駆動ギア２１が回転し、それとともに駆動ギア２１に噛合う従動ギア１９が回転する。従動ギア１９が回転すると送りねじ棒１５が回転することによりスライダ７が、右（左）のストッパ１１位置から他方の左（右）のストッパ１３位置に向けて移動を開始する。そして、スライダ７に設けられたクリーニングパッド５がチャージワイヤ３を挟みつつ移動することによりチャージワイヤ３が清掃される。
【００２４】
このとき、送りねじ棒１５の回転に連れ回りするエンコーダ１７の回転動作を透過型フォトセンサ２５が検出することで、送りねじ棒１５が回転している状態、すなわちスライダ７に設けられたクリーニングパッド５が移動をしている状態が検知される。
【００２５】
スライダ７が他方の左のストッパ１３位置に突き当たると、送りねじ棒１５の回転動作が停止するとともにこれに連れ回りするエンコーダ１７の回転動作も停止する。このとき、透過型フォトセンサ２５により一定時間エンコーダ１７の回転動作を検知しない場合には、制御手段に信号を送信してモータ２３の駆動を停止すると同時に、モータ２３の回転を逆転駆動させてスライダ７を、左（右）のストッパ１３位置から右（左）のストッパ１１位置に向けて移動を開始させる。このように、スライダ７が所定の回数、往復移動を繰り返すことで、チャージワイヤ３の清掃が行なわれる。
【００２６】
このように、エンコーダ１７の回転動作を透過型フォトセンサ２５により検知することで、クリーニングパッド５の現在位置を検出することができるので、１組のエンコーダ１７と透過型フォトセンサ２５を設けるだけで良く、簡易な構成でクリーニングパッド５がストッパ位置にあることを検出できる。
【００２７】
また、モータ２３のトルクにより変化した電流を検出することでクリーニングパッド５の停止状態を判断しないので、モータ２３のトルクを最大限に発揮することができる。
【００２８】
次に、他の実施の形態を説明するが、その説明にあたり上述した部分と同一の作用効果を奏する部分には、同一の符号を付することにより、その部分の詳細な説明を省略し、以下の説明では、主に第１実施の形態と異なる点を説明する。
【００２９】
第２の実施形態は、図３に示すように、移送手段としてモータ２３の駆動により回転する駆動プーリ２７と、駆動プーリ２７の回転に連れ回りする従動プーリ２９と、駆動プーリ２７と従動プーリ２９との間に掛け渡されたワイヤ３１とを備え、従動プーリ２９にはその周囲に一定の間隔おきにスリット１６を形成してエンコーダ１７の機能を有するようにしている。
【００３０】
本実施の形態にかかるチャージワイヤ清掃装置１は、制御手段１４の制御によりモータ２３が回転駆動すると、モータ２３の駆動力を中間プーリ２４を介して駆動プーリ２７が回転するとともに、従動プーリ２９も同時に回転する。また、駆動プーリ２７と従動プーリ２９との間に掛け渡されたワイヤ３１が左右方向に移動することでスライダ７がチャージワイヤ３に対して平行に往復移動し、チャージワイヤ３を清掃する。
【００３１】
モータ２３が停止した際にモータトルクが駆動プーリ２７とワイヤ３１との摩擦力を上回って、ワイヤ３１と駆動プーリ２７との間で滑りが発生した場合でも、従動プーリ２９にはエンコーダ１７を一体に設けてあるので、スライダ７の動きと従動プーリ２９の動きは連動することができる。よって、スライダ７がストッパ位置で停止した場合には、その状態を従動プーリ２９に設けたエンコーダ１７で確実に検知できる。
【００３２】
なお、本発明は上述した実施の形態に限定されず、その要旨を逸脱しない範囲で種々の変形が可能である。第２の実施形態において、従動プーリ２９にはその周囲に一定の間隔おきにスリット１６を形成してエンコーダ１７の機能を有するようにしたが、これに限定されず、従動プーリ２９にエンコーダ１７を連結して設けても良い。
【図面の簡単な説明】
【００３３】
【図１】本発明の第１実施の形態に係るチャージワイヤ清掃装置の構成を概略的に示す正面図である。
【図２】図１に示すチャージワイヤ清掃装置のＡ−Ａ断面図である。
【図３】本発明の第２実施の形態に係るチャージワイヤ清掃装置の構成を概略的に示す平面図である。
【符号の説明】
【００３４】
１        チャージワイヤ清掃装置
３        チャージワイヤ
５        クリーニングパッド
７        スライダ（往復移動体）
１１      右ストッパ（ストッパ）
１３      左ストッパ（ストッパ）
１５      送りねじ棒
１７      エンコーダ
１９      従動ギア
２１      駆動ギア
２３      モータ
２５      透過型フォトセンサ（エンコーダ動作検知手段）
２７      駆動プーリ
２９      従動プーリ
３１      ワイヤ
【図１】
2005157021.tif 000003
【図２】
2005157021.tif 000004
【図３】
2005157021.tif 000005